(57)【要約】【課題】  光の照射の均一性を確保でき、軽量で、コスト低減が図れるバックライトを備える液晶表示装置の提供。【解決手段】  液晶表示パネルと、この液晶表示パネルの背面に該液晶表示パネルと対向して配置されるバックライトを有する液晶表示装置であって、  前記バックライトは、前記液晶表示パネルと対向する内面に光反射処理がなされた箱状の筐体と、  該筐体内に、前記液晶表示パネルの液晶表示領域と対向する領域の外方に該領域から距離を有して位置づけられ、かつ、前記バックライトの厚み方向に前記液晶表示パネルと間隙を有して配置される光源体を備え、  前記光源体は、線状光源と、該線状光源を被って形成される光反射板とから構成され、前記光反射板は、前記液晶表示パネルと直交する面に指向する開口を備える。【選択図】図１
2009168962.tif 000002
【特許請求の範囲】
【請求項１】
液晶表示パネルと、この液晶表示パネルの背面に該液晶表示パネルと対向して配置されるバックライトを有する液晶表示装置であって、
前記バックライトは、可視光を反射する内壁面を有する空洞状の筐体と、該筐体内に、前記液晶表示パネルの表示領域よりも外方に距離を有して位置づけられた光源体を備え、
前記光源体は、線状光源と該線状光源を破って形成される光反射板とから構成され、前記光反射板は、前記液晶表示パネルと直交する面に開口を備えることを特徴とする液晶表示装置。
【請求項２】
前記光源体は、前記液晶表示パネルと間隙を有して配置されることを特徴とする請求項１に記載の液晶表示装置。
【請求項３】
前記光反射板は、その開口においてレンズを備えることを特徴とする請求項１に記載の液晶表示装置。
【請求項４】
前記光反射板は、その開口において光学フィルタを備えることを特徴とする請求項１に記載の液晶表示装置。
【請求項５】
液晶表示パネルとバックライトの間に光学フィルムが配置されていることを特徴とする請求項１に記載の液晶表示装置。
【請求項６】
前記光学フィルムの有効機能領域が、液晶表示パネルの表示領域の外方に距離を有して位置づけられていることを特徴とする請求項１に記載の液晶表示装置。
【請求項７】
前記光学フィルムは、印加電圧を制御することで光散乱特性を制御できる液晶セルを含んで形成されていることを特徴とする請求項１に記載の液晶表示装置。
【請求項８】
液晶表示パネルと、この液晶パネルの背面側に配置されたバックライトを有する液晶表示装置であって、
前記バックライトは光源と、空洞状の筐体とを有し、
前記筐体は前面側に光を出射する前面側開口と背面側に光を出射する背面側開口とを有し、
前記光源は前記筐体の前面開口よりも外側に収容されていることを特徴とする液晶表示装置。
【請求項９】
前記液晶パネルと前記バックライトの間には光拡散層を有することを特徴とする請求項８に記載の液晶表示装置。
【請求項１０】
前記光学フィルムは、印加電圧を制御することで光散乱特性を制御できる液晶セルを含んで形成されていることを特徴とする請求項８に記載の液晶表示装置。
【発明の詳細な説明】
【技術分野】
【０００１】
本発明は液晶表示装置に係り、特に、バックライトを備える液晶表示装置に関する。
【背景技術】
【０００２】
液晶表示パネルは、液晶を挟持して対向配置される一対のたとえばガラスからなる基板を外囲器として構成されている。
【０００３】
そして、それぞれの前記基板の液晶側の面にはマトリックス状に配置された画素が前記液晶を一構成要素として形成されている。
【０００４】
各画素は、当該画素の液晶にそれぞれ独立に電界を生じせしめるように構成され、当該画素の液晶は前記電界の強弱にともなって光透過率を変化するようになっている。
【０００５】
このため、液晶表示装置は、前記液晶表示パネルの背面にバックライトを備えるようになっているのが通常となっている。
【０００６】
液晶表示パネルＰＮＬの各画素には、前記バックライトからの光が照射され、各画素を透過する光を通して観察者に映像を認識させるようになっている。
【０００７】
バックライトとしては、たとえば、液晶表示パネルとほぼ同じ大きさの導光板を該液晶表示パネルと対向させて配置させ、該導光板の少なくとも一辺における側壁面に該辺に沿って延在する冷陰極線管を配置させたものが知られている。
【０００８】
このような構成のバックライトは、該冷陰極線管からの光を導光板の前記側壁面から入力させ前記液晶表示パネルに対向する面から該液晶表示パネルへ向けて出射させている。
【０００９】
このようなバックライトを備える液晶表示装置は、たとえば、下記特許文献１に開示がなされている。
【特許文献１】特開平９−５７３７号公報
【発明の開示】
【発明が解決しようとする課題】
【００１０】
しかしながら、このような構成からなる液晶表示装置は、そのバックライトとして液晶表示パネルとほぼ同じ大きさのたとえば樹脂材からなる導光板を使用していることから、比較的重量が大きく、また、コストの上昇を免れ得なかった。
【００１１】
それゆえ、光の照射の均一性を確保できるとともに、重量が少なく、コストの低減が図れるバックライトの出現が望まれ、このような要望は、たとえばアミューズメント向けの液晶表示装置において顕著となるに至っている。
【００１２】
本発明の目的は、光の照射の均一性を確保でき、軽量で、コスト低減が図れるバックライトを備える液晶表示装置を提供することにある。
【課題を解決するための手段】
【００１３】
本願において開示される発明のうち、代表的なものの概要を簡単に説明すれば、以下のとおりである。
【００１４】
（１）本発明による液晶表示装置は、たとえば、 液晶表示パネルと、この液晶表示パネルの背面に該液晶表示パネルと対向して配置されるバックライトを有する液晶表示装置であって、
前記バックライトは、可視光を反射する内壁面を有する空洞状の筐体と、該筐体内に、前記液晶表示パネルの表示領域よりも外方に距離を有して位置づけられた光源体を備え、
前記光源体は、線状光源と該線状光源を破って形成される光反射板とから構成され、前記光反射板は、前記液晶表示パネルと直交する面に開口を備えることを特徴とする。
【００１５】
（２）本発明による液晶表示装置は、たとえば、（１）の構成を前提とし、 前記光源体は、前記液晶表示パネルと間隙を有して配置されることを特徴とする。
【００１６】
（３）本発明による液晶表示装置は、たとえば、（１）の構成を前提とし、 前記光反射板は、その開口においてレンズを備えることを特徴とする。
【００１７】
（４）本発明による液晶表示装置は、たとえば、（１）の構成を前提とし、 前記光反射板は、その開口において光学フィルタを備えることを特徴とする。
【００１８】
（５）本発明による液晶表示装置は、たとえば、（１）の構成を前提とし、 液晶表示パネルとバックライトの間に光学フィルムが配置されていることを特徴とする。
【００１９】
（６）本発明による液晶表示装置は、たとえば、（１）の構成を前提とし、前記光学フィルムの有効機能領域が、液晶表示パネルの表示領域の外方に距離を有して位置づけられていることを特徴とする。
【００２０】
（７）本発明による液晶表示装置は、たとえば、（１）の構成を前提とし、前記光学フィルムは、印加電圧を制御することで光散乱特性を制御できる液晶セルを含んで形成されていることを特徴とする。
【００２１】
（８）本発明による液晶表示装置は、たとえば、液晶表示パネルと、この液晶パネルの背面側に配置されたバックライトを有する液晶表示装置であって、
前記バックライトは光源と、空洞状の筐体とを有し、
前記筐体は前面側に光を出射する前面側開口と背面側に光を出射する背面側開口とを有し、
前記光源は前記筐体の前面開口よりも外側に収容されていることを特徴とする。
【００２２】
（９）本発明による液晶表示装置は、たとえば、（８）の構成を前提とし、前記液晶パネルと前記バックライトの間には光拡散層を有することを特徴とする。
【００２３】
（１０）本発明による液晶表示装置は、たとえば、（８）の構成を前提とし、前記光学フィルムは、印加電圧を制御することで光散乱特性を制御できる液晶セルを含んで形成されていることを特徴とする。
【００２４】
なお、本発明は以上の構成に限定されず、本発明の技術思想を逸脱しない範囲で種々の変更が可能である。
【発明の効果】
【００２５】
このように構成した液晶表示装置は、光の照射の均一性を確保でき、軽量で、コスト低減が図れるバックライトを備えたものとして構成することができる。
【発明を実施するための最良の形態】
【００２６】
以下、本発明による液晶表示装置の実施例を図面を用いて説明をする。
【００２７】
〈全体の概略構成〉
図１は、本発明による液晶表示装置の一実施例を示す断面図である。図１は図２のI−I線における箇所の断面に相当している。
【００２８】
図１において、該液晶表示装置は、観察者側から、液晶表示パネルＰＮＬ、光学シートＯＳ、およびバックライトＢＬが順次配置されている。
【００２９】
液晶表示パネルＰＮＬは、一対の平行配置されたたとえばガラスからなる基板ＳＵＢ１、ＳＵＢ２を外囲器とし、これら各基板ＳＵＢ１、ＳＵＢ２の間に液晶（図示せず）が介在されて構成されている。
【００３０】
前記基板ＳＵＢ１、ＳＵＢ２の液晶側の面には、マトリックス状に配置された画素（図示せず）が前記液晶を一構成要素として形成され、これら各画素に当該液晶の光透過率を制御できるようになっている。
【００３１】
前記液晶表示パネルＰＮｌの画素を駆動するたとえば半導体装置ＳＣ（Ｖ）が基板ＳＵＢ１の基板ＳＵＢ２が配置されていない面に搭載され、該半導体措置ＳＣ（Ｖ）等は後述のフレーム（図中、符号ＵＦＲ、ＭＦＲ、ＤＦＲで示す）の外側に配置される制御回路からなるプリント基板ＰＢにフレキシブル基板ＦＢを介して接続されている。
【００３２】
液晶表示パネルＰＮＬのそれぞれの画素には、後述のバックライトＢＬからの光が照射され、各画素を透過する光を通して観察者に映像を認識させるようになっている。この液晶表示パネルＰＮＬの構成は後に詳述する。
【００３３】
そして、液晶表示パネルＰＮＬの背面には、たとえば拡散シート、プリズムシート、あるいはこれらの積層体からなる光学シートＯＳを介してバックライトＢＬが配置されている。光学シートＯＳは、バックライトＢＬからの光を拡散、あるいは集光させたりして液晶表示パネルＰＮＬ側へ導くようになっている。
【００３４】
バックライトＢＬは、後述する下フレームＤＦＲを筐体とし、この下フレームＤＦＲの内部に光源体ＬＢを配置させて構成され、前記液晶表示パネルＰＮＬと平行な面内において均一な輝度を有する面光源として機能するようになっている。このバックライトＢＬの構成は後に詳述する。
【００３５】
また、液晶表示装置は、前記液晶表示パネルＰＮＬ、光学シートＯＳ、およびバックライトＢＬを、上フレームＵＦＲ、中フレームＭＦＲ、下フレームＤＦＲによってモジュール化させて構成されている。
【００３６】
すなわち、たとえば、前記液晶表示パネルＰＮＬは中フレームに載置され、光学シートＯＳは該中フレームＭＦＲとこの中フレームＭＦＲに固定される下フレームＤＦＲとの間に挟持され、前記液晶表示パネルＰＮＬの液晶表示領域ＡＲを露出させる窓ＷＤが形成された上フレームＵＦＲは前記中フレームＭＦＲに固定されている。
【００３７】
〈液晶表示パネル〉
図２は、図１に示した液晶表示装置を平面的に観た図で、前記液晶表示パネルＰＮＬとバックライトＢＬを示し、上フレームＵＦＲ、中フレームＭＦＲ、光学シートＯＳ、プリント基板ＰＢは省略して示している。
【００３８】
図２に示す液晶表示パネルＰＮＬは、マトリックス状に配置された画素の集合体からなる液晶表示領域ＡＲ（図中一点鎖線枠で囲まれた領域）が示されている。
【００３９】
この液晶表示領域ＡＲは、基板ＳＵＢ１に対する基板ＳＵＢ２の固定を兼ね、該基板ＳＵＢ１、ＳＵＢ２の間の液晶を封入させるための環状シール材（図示せず）の内側に形成される領域となっている。
【００４０】
液晶表示パネルＰＮＬの少なくとも前記液晶表示領域ＡＲには、後述のバックライトＢＬからの光が全域にわたって照射され、各画素を透過する光を通して観察者に映像を認識させるようになっている。
【００４１】
液晶表示パネルＰＮＬにおいて、観察者側に対して後方に配置された基板ＳＵＢ１はたとえばその図中左側辺および上側辺に基板ＳＩＵＢ２から露出した部分を有し、これらの部分に半導体装置ＳＣ（Ｖ）、ＳＣ（Ｈｅ）が搭載されている。
【００４２】
半導体装置ＳＣ（Ｖ）は基板ＳＵＢ１の図中左側辺に複数並設されて走査信号駆動回路を構成し、半導体装置ＳＣ（Ｈｅ）は基板ＳＵＢ１の図中上側辺に複数並設されて映像信号駆動回路を構成している。
【００４３】
なお、これら半導体装置ＳＣ（Ｖ）、および半導体装置ＳＣ（Ｈｅ）には図１に示した制御回路からなるプリント基板ＰＢ側から信号が入力されるようになっている。
【００４４】
マトリックス状に配置された各画素において、前記走査信号駆動回路によって列方向（図中ｘ方向）に配列された各画素からなる画素群の一つが選択され、この選択のタイミングに合わせて、該画素群の各画素には前記映像信号駆動回路から映像信号が供給されるようになっている。
【００４５】
このような駆動を行うため、各画素には画素電極を含む一対の電極が形成されているほかに、画素選択用の薄膜トランジスタが形成されている。
【００４６】
〈バックライト〉
バックライトＢＬは、内部に光源体ＬＢを配置させた筐体を有し、この筐体は前記下フレームＤＦＲを兼ねた構成となっている。
【００４７】
該下フレームＤＦＲは空洞状からなり、液晶表示パネルＰＮＬの側において開口部を有して形成されている。
【００４８】
前記下フレームＤＦＲは、その開口部における面積が、液晶表示パネルＰＮＬの面積とほぼ同じになっており、該液晶表示パネルＰＮＬと対向する内面（底面、内壁面）の全域には、光反射シートＲＳが載置されている（図１参照）。後述の光源体ＬＢからの光を該光反射シートＲＳで反射させ、その反射光を前記液晶表示パネルＰＮＬ側に導くためである。このため、下フレームＤＦＲの内面において、必ずしも反射シートＲＳを載置することに限定はされず、他の方法からなる光反射機能が施されていればよい。
【００４９】
前記光源体ＬＢは、図２に示すように、前記液晶表示パネルＰＮＬのたとえば走査信号駆動回路からなる前記半導体装置ＳＣ（Ｖ）が載置された辺側における下フレームＤＦＲの内壁面に、前記液晶表示パネルＰＮＬの前記辺方向（図中ｙ方向）に延在されて形成されている。
【００５０】
そして、前記光源体ＬＢは、図１に示すように、該下フレームＤＦＲの開口部から該下フレームＤＦＲの厚み方向（下フレームの底面に向かって）に距離ａ'を隔てた個所に固定されて配置されている。
【００５１】
また、前記光源体ＬＢは、図２に示すように、平面的に観た場合、前記液晶表示パネルＰＮＬの液晶表示領域ＡＲの内側に侵入して配置されることなく、該液晶表示領域ＡＲ外方に該領域から距離ｂを有して配置されるようになっている。後述するように、光源体ＬＢからの光が液晶表示領域ＡＲに至るのにある程度の距離を確保し、輝度を下げるためである。
【００５２】
前記光源体ＬＢは、該光源体ＬＢの延在方向に延在するたとえば冷陰極線管等からなる線状光源ＬＬと、この線状光源ＬＬを被って形成される反射板ＲＢから構成されている。
【００５３】
前記反射板ＲＢは、前記線状光源ＬＬの長手方向と直交する面内における断面がたとえば"コ"字状となっており、前記液晶表示パネルＰＮＬと直交する面に指向する開口ＯＰを有するように構成されている。
【００５４】
反射板ＲＢの前記開口ＯＰを前記液晶表示パネルＰＮＬと直交する面に指向させたのは、前記線状光源ＬＬからの直接の光が液晶表示パネルＰＮＬに照射されるのを回避させ、輝度が必要以上に大きくなるのを防止するためである。
【００５５】
これにより、前記光源体ＬＢの線状光源ＬＬからの光は、直接に下フレームＤＦＲ内に照射される光と前記反射板ＲＢによって反射された光が混在されて反射板ＲＢの開口ＯＰから照射され、さらに、下フレームＤＦＲの内面に載置される光反射シートＲＳにより反射回数の異なる種々の反射光を含んで液晶表示パネルＰＮＬ側に照射されるようになる。
【００５６】
このため、液晶表示パネルＰＮＬに照射される光は乱反射された光で、その輝度は液晶表示領域ＡＲの全域においてほぼ均一となる。
【００５７】
そして、上述したバックライトＢＬの構成において、図３に示すように、前記光源体ＬＢを下フレームＤＦＲの開口部からの間隙ａ'（この場合、該間隙ａ'は、液晶表示パネルＰＮＬからの間隙ａとほぼ等しいとみなすことができる）を大きくとることにより、液晶表示パネルＰＮＬの液晶表示領域ＡＲの光源体ＬＢ側の端部ｅ に直接に到達する前記光源体ＬＢからの出力光において、その角度θは急峻に、距離Ｌは長くなるようになる。
【００５８】
反射板ＲＢの開口ＯＰからの出力光の分布は、前記角度θが大きく、前記距離Ｌが長くなる程弱くなるので、前記端部ｅの輝度を下げることができる。
【００５９】
したがって、このように、液晶表示パネルＰＮＬの液晶表示領域ＡＲにおいて、前記光源体ＬＢの近端部（前記端部ｅの部分）の輝度を下げると、遠端部に到達できる前記光源体ＬＢの出力光を相対的に強めることができるので、該液晶表示領域ＡＲに照射される光の分布の均一性を向上さることができる。
【００６０】
このように構成されたバックライトＢＬは、少なくとも液晶表示パネルＰＮＬの液晶表示領域ＡＲに対向する部分において、図１に示すように、空隙部ＳＰを有し、この空隙部ＳＰから外れたたとえば下フレームＤＦＲのたとえば内壁面に光源体ＬＢが配置される構成となっている。
【００６１】
このため、たとえば従来のバックライトと比較して、導光板を必要としなくなるので、軽量で、コスト低減が図れる構成とすることができる。
【００６２】
〈他の実施例〉
上述した実施例では、光源体ＬＢは線状光源ＬＬと反射板ＲＢで構成したものである。しかし、図４に示すように、反射板ＲＢの開口ＯＰにレンズＬＳを配置させるように構成してもよい。あるいは、レンズＬＳを形成する屈折体の分光透過特性を調整して、レンズＬＳに光学フィルタとしての機能を持たせても良い。このレンズＬＳを配置させることにより、液晶表示パネルＰＮＬの液晶表示領域ＡＲに照射される光の色調と輝度の分布の調整が可能となり、さらに輝度の均一な光照射を液晶表示パネルＰＮＬへ行うことができるからである。
【００６３】
上述した実施例では、光源体ＬＢは、平面的に観た下フレームの一辺側のみに配置させたものである。しかし、前記光源体ＬＢは、この光源体ＬＢとは別の光源体を前記一辺と対向する他の辺、あるいは前記一辺と対向することのない他の辺においても配置させるように構成してもよい。
【００６４】
液晶表示パネルＰＮＬが大型化することによって、複数の光源体を必要となってくる場合があるからである。なお、この場合において、各光源体は液晶表示パネルＰＮＬの液晶表示領域ＡＲと対向する領域の外側に配置させることは上述した説明どおりである。
【００６５】
図５は本発明の他の実施例による液晶表示装置の断面図、図６は平面図である。
【００６６】
図５の液晶表示装置は、液晶パネルＰＮＬと、この液晶パネルＰＮＬの背面側に配置されたバックライト組立ＢＬを有する。
【００６７】
液晶パネルＰＮＬは薄膜トランジスタを形成した第１基板ＳＵＢ１と、カラーフィルタを形成した第２基板ＳＵＢ２と、第１基板と第２基板に挟まれた液晶材とを備えている。また第２基板ＳＵＢ２は前面側に配置され、第１基板はバックライト側に配置される。
【００６８】
バックライト組立ＢＬは光源と、光源を収容する筐体とを備えている。
【００６９】
筐体は前面側に光を出射する前面側開口と背面側（液晶パネルと反対側）に光を出射する背面側開口とを有する。背面側開口を設けることで、バックライトの背面に構造物または背景を配置することができる。即ち、パネル前面側にいる観察者はバックライトより後方に配置した構造物または背景を観察できる。また、背面側に開口を有することで、一つのバックライト組立ＢＬで液晶パネルとバックライト後方の構造物（又は背景）の両方を照射できる。
【００７０】
観察者から光源ＬＬが見えないように、光源ＬＬは筐体の前面開口よりも外側に収容されている。
【００７１】
液晶パネルとバックライトの間には光拡散層ＬＤＬを配置してある。光拡散層ＬＤＬによって、輝度の斑を抑制し、液晶パネルを均一に照射する光を供給している。
【００７２】
拡散層は光透過状態と光拡散状態が切り替え可能にすると良い。光透過状態と光拡散状態が切り替え可能な物として、ポリマーネットワーク液晶がある。ポリマーネットワーク液晶は、例えば特開２００４−１２５９６２号公報に記載されたのもがある。ポリマーネットワーク液晶は、印加電圧を制御することで光散乱特性を制御できる。
【００７３】
光透過状態と光拡散状態が切り替え可能な層を有することで、液晶パネルの表示が明るくでき、且つ、バックライト後方の構造物の表示も明るくできる。すなわち、液晶パネルに画像を表示するときにバックライトの光を拡散させることで、液晶パネルに画像を表示するときに良好な面光源となる。また、光透過状態にした場合、背面側開口があるので、観察者は構造物（又は背景）観察できる。
【００７４】
観察者から光源ＬＬが見えないようにするために光源ＬＬは液晶パネルの有効領域よりも十分に外側に配置する必要がある。また、バックライトは、液晶パネルの表示領域に光を照射するための光出射部と、光出射部のよりも外側に配置された光源を有し、バックライト組立は液晶パネルの表示領域よりも大きい光出射口を備える。
【００７５】
液晶パネルの有効領域（画像表示領域）の径ＡＲ１は光拡散層の有効領域の径ＡＲ２より小さい。また、液晶パネルの有効領域（画像表示領域）の径ＡＲ１は筐体ＤＦＲの前面側開口径ＡＲ３より小さい。即ち、各径はＡＲ１＜ＡＲ２、且つＡＲ１＜ＡＲ３の関係にある。なお、本実施例では水平方向の径について説明したが、垂直方向の径も同じ関係にある。このように構成することで、観察者はバックライトＢＬを観察できない。
【００７６】
本実施例におけるシャッター液晶の有効領域は、液晶パネルの有効領域よりも上下左右約１ｍｍ大きくした。また、前面側開口の径と背面側開口の径とは同じ大きさに設定してある。このように構成することで、液晶パネルに画像を表示したときに、バックライトに起因する輝度斑を抑制することができる。
【００７７】
また、図６のバックライトは前面側と背面側に光を透過させるための開口を有し、開口を囲んで光源を配置した。図６の構造に限らず、液晶表示装置の短辺または長辺に沿って光源を配置しても良い。また光源は冷陰極管でもよく、ＬＥＤを長辺または短辺に沿って並べてもよい。
【００７８】
上述した各実施例はそれぞれ単独に、あるいは組み合わせて用いても良い。それぞれの実施例での効果を単独であるいは相乗して奏することができるからである。
【図面の簡単な説明】
【００７９】
【図１】本発明による液晶表示装置の一実施例を示す断面図である。
【図２】本発明による液晶表示装置の一実施例を示す平面図で、液晶表示パネルとバックライトのみを示した図である。
【図３】本発明による液晶表示装置のバックライトにおいて輝度の均一な光が得られる理由を説明する説明図である。
【図４】本発明による液晶表示装置の他の実施例を示す要部構成図である。
【図５】本発明による液晶表示装置の他の実施例を示す断面図である。
【図６】本発明による液晶表示装置の他の実施例を示す平面図である。
【符号の説明】
【００８０】
ＰＮＬ……液晶表示パネル、ＯＳ……光学シート、ＢＬ……バックライト、ＳＵＢ１、ＳＵＢ２……基板、ＳＣ（Ｖ）……半導体装置（走査信号駆動回路）、ＳＣ（Ｈｅ）……半導体装置（映像信号駆動回路）、ＡＲ……液晶表示領域、ＰＢ……プリント基板、ＦＢ……フレキシブル基板、ＵＦＲ……上フレーム、ＭＦＲ……中フレーム、ＤＦＲ……下フレーム（バックライトの筐体）、ＬＢ……光源体、ＬＬ……線状光源、ＲＢ……反射板、ＯＰ……開口。
【図１】
2009168962.tif 000003
【図２】
2009168962.tif 000004
【図３】
2009168962.tif 000005
【図４】
2009168962.tif 000006
【図５】
2009168962.tif 000007
【図６】
2009168962.tif 000008